(57)【要約】【課題】  簡単な構造で螺子を脱落する恐れのないスクリュードライバー用仮固定工具を提供することである。【解決手段】  螺子の頭部に形成された溝に係合して回転力を伝達する係合部と、該係合部に一端が一体的に連結された軸部と、該軸部の他端に連結され回転力を作用させる把持部とから構成されるスクリュードライバーに装着されて螺子を仮固定する仮固定工具であって、スクリュードライバーの該軸部の直径よりも僅かばかり小さな直径の嵌合穴を有し、該嵌合穴中に該軸部を嵌合して該軸部に固定される弾性体からなる固定部と、該固定部から該嵌合穴の軸方向に突出し該固定部がスクリュードライバーの該軸部に固定されたとき、該係合部を囲繞するように配設された弾性体からなる複数の爪部とから構成され、螺子の頭部を該爪部によって把持し、該螺子をスクリュードライバーの該係合部に仮固定する。【選択図】図１
2013043221.tif 000002
【特許請求の範囲】
【請求項１】
螺子の頭部に形成された溝に係合して回転力を伝達する係合部と、該係合部に一端が一体的に連結された軸部と、該軸部の他端に連結され回転力を作用させる把持部とから構成されるスクリュードライバーに装着されて螺子を仮固定する仮固定工具であって、
スクリュードライバーの該軸部の直径よりも僅かばかり小さな直径の嵌合穴を有し、該嵌合穴中に該軸部を嵌合して該軸部に固定される弾性体からなる固定部と、該固定部から該嵌合穴の軸方向に突出し該固定部がスクリュードライバーの該軸部に固定されたとき、該係合部を囲繞するように配設された弾性体からなる複数の爪部とから構成され、
螺子の頭部を該爪部によって把持し、該螺子をスクリュードライバーの該係合部に仮固定する仮固定工具。
【発明の詳細な説明】
【技術分野】
【０００１】
本発明は、スクリュードライバーに装着されて螺子を仮固定する仮固定工具に関する。
【背景技術】
【０００２】
ＩＣ、ＬＳＩ等のデバイスが格子状に形成された分割予定ラインによって区画されて表面に形成されたウエーハは、研削装置によって裏面が研削されて所定の厚みに加工された後、ダイシング装置、レーザ加工装置等の加工装置によって個々のデバイスに分割され、分割されたデバイスは携帯電話、パソコン等の各種電気機器に広く利用されている。
【０００３】
加工装置は定期的に又は故障時に分解され、部品交換等によって修理されてその機能が維持される。装置の分解時又は部品交換時等にはスクリュードライバーが頻繁に使用される。しかし、スクリュードライバーで螺子を着脱する際に螺子が脱落して作業効率が低下するという問題がある。
【０００４】
この問題を解決するために、スクリュードライバーの先端が磁石になっていて、螺子を磁石で吸着してスクリュードライバーに仮固定できるスクリュードライバーが、例えば実開平７−２０２６５号公報で提案されている。
【先行技術文献】
【特許文献】
【０００５】
【特許文献１】実開平７−２０２６５号公報
【発明の概要】
【発明が解決しようとする課題】
【０００６】
しかし、特許文献１に開示されたような磁石つきスクリュードライバーでは、振動又は接触等によってスクリュードライバーの先端に磁石で吸着された螺子が脱落する可能性が高い。
【０００７】
本発明はこのような点に鑑みてなされたものであり、その目的とするところは、簡単な構造で螺子をスクリュードライバーの先端に仮固定できるスクリュードライバー用仮固定工具を提供することである。
【課題を解決するための手段】
【０００８】
本発明によると、螺子の頭部に形成された溝に係合して回転力を伝達する係合部と、該係合部に一端が一体的に連結された軸部と、該軸部の他端に連結され回転力を作用させる把持部とから構成されるスクリュードライバーに装着されて螺子を仮固定する仮固定工具であって、スクリュードライバーの該軸部の直径よりも僅かばかり小さな直径の嵌合穴を有し、該嵌合穴中に該軸部を嵌合して該軸部に固定される弾性体からなる固定部と、該固定部から該嵌合穴の軸方向に突出し該固定部がスクリュードライバーの該軸部に固定されたとき、該係合部を囲繞するように配設された弾性体からなる複数の爪部とから構成され、螺子の頭部を該爪部によって把持し、該螺子をスクリュードライバーの該係合部に仮固定する仮固定工具が提供される。
【発明の効果】
【０００９】
本発明のスクリュードライバー用仮固定工具は、合成ゴム等の弾性体によって形成されている。仮固定工具の固定部に形成された嵌合穴中にスクリュードライバーの軸部を嵌合すると、仮固定工具の固定部が軸部に固定されるので、螺子の頭部を複数の爪部によって把持して螺子をスクリュードライバーの係合部に仮固定し、この状態で螺子を螺子穴に締結できる。
【００１０】
螺子を螺子穴から取り外すには、仮固定工具をスクリュードライバーの軸部に装着した状態で螺子を緩める。螺子を緩めて螺子の頭部が突出すると、弾性力によって爪部が螺子の頭部を把持するので、螺子をスクリュードライバーの係合部に仮固定した状態で脱落させることなく取り外すことができる。
【図面の簡単な説明】
【００１１】
【図１】図１（Ａ）は仮固定工具をスクリュードライバーに装着する様子を示す斜視図、図１（Ｂ）は仮固定工具がスクリュードライバーの軸部に装着された状態の斜視図である。
【図２】仮固定工具で螺子をスクリュードライバーの係合部に仮固定した状態の断面図である。
【発明を実施するための形態】
【００１２】
以下、本発明の実施形態を図面を参照して詳細に説明する。図１（Ａ）を参照すると、スクリュードライバー１０は、図２に示すように、螺子２６の頭部２８に形成された溝２９に係合して回転力を伝達する係合部１２と、一端が係合部１２に連結された軸部１４と、軸部１４の他端に連結され回転力を作用させる把持部１６とから構成される。
【００１３】
符号１８は仮固定工具を示しており、全体が合成ゴム等の弾性体から形成されている。仮固定工具１８は、スクリュードライバー１０の軸部１４の直径よりも僅かばかり小さな直径の嵌合穴２１を有し、スクリュードライバー１０の軸部１４に嵌合穴２１が嵌合されるとスクリュードライバー１０の係合部１２に隣接した軸部１４に固定される固定部２０と、固定部２０から嵌合穴２１の軸方向に突出し、スクリュードライバー１０の係合部１２を囲繞するように配設された複数の爪部２２とから構成される。各爪部２２の先端には係合突起２４が形成されている。
【００１４】
仮固定工具１８をスクリュードライバー１０に装着するには、片方の手で仮固定工具１８を把持し、他方の手でスクリュードライバー１０を把持して、スクリュードライバー１０の軸部１４を矢印Ａ方向に移動して仮固定工具１８の固定部２０の嵌合穴２１中に嵌合する。その結果、図１（Ｂ）に示すように、仮固定工具１８の固定部２０がスクリュードライバー１０の係合部１２に隣接した軸部１４に固定される。
【００１５】
この状態で、図２に示すように、螺子２６の頭部２８を仮固定工具１８の複数の爪部２２の間に挿入し、頭部２８に形成された溝２９にスクリュードライバー１０の係合部１２の先端を係合する。
【００１６】
この状態で、ねじ２６を装着すべき螺子穴に螺合し、スクリュードライバー１０の把持部１６を回転して締め付けることにより、螺子２６を螺子穴に締結することができる。
【００１７】
螺子２６の頭部２８を仮固定工具１８の爪部２２で把持し、螺子２６をスクリュードライバー１０の係合部１２に仮固定した状態で螺子２６を螺子穴に締結できるため、螺子２６がスクリュードライバー１０から脱落することなく、螺子の締結作業を効率良く実施することができる。
【００１８】
螺子穴に締結されている螺子を取り外すには、仮固定工具１８を図１（Ｂ）に示すように、スクリュードライバー１０の軸部１４に装着した状態で、スクリュードライバー１０の係合部１２の先端を螺子２６の頭部２８に形成された溝２９に係合し、スクリュードライバー１０の把持部１６を回転して螺子２６を緩めると、螺子２６の頭部２８が突出して仮固定工具１８の複数の把持部２２により把持される。
【００１９】
スクリュードライバー１０の把持部１６を更に回転して、螺子２６を螺子穴から完全に取り外すと、螺子２６は頭部２８が仮固定工具１８の把持部２２で把持された状態で螺子穴から取り外されるので、螺子２６を脱落することなく取り外すことができる。
【符号の説明】
【００２０】
１０    スクリュードライバー
１２    係合部
１４    軸部
１６    把持部
１８    仮固定工具
２０    固定部
２１    嵌合穴
２２    爪部
２４    係合突起
２６    螺子
２８    頭部
【図１】
2013043221.tif 000003
【図２】
2013043221.tif 000004